(57)【要約】【課題】介護者の負担が小さく、立ち上がりが困難な病人や身障者、老人等の被介護人であっても容易に移動が可能なスライド式ベッドを提供する。【解決手段】スライド式ベッド１は、ベッド本体フレーム２と、ベッド本体フレーム２の長さ方向の一端側に固定された足側フレーム３と、足側フレーム３の一端部に隣接して配置された座部フレーム４および座部フレーム４に回動自在に連設された背部フレーム５を有する頭部側フレーム６と、座部フレーム４をベッド本体フレーム２の幅方向に移動する摺動手段と、を有し、座部フレーム４は、座部本体フレーム４ａと、座部本体フレーム４ａに着脱自在であり、下方に車輪を有する台車９に保持された移動用フレーム４ｂと、を備えている。【選択図】図１
2008131961.tif 000002
【特許請求の範囲】
【請求項１】
ベッド本体フレームと、前記ベッド本体フレームの長さ方向の一端側に固定された足側フレームと、前記足側フレームの一端部に隣接して配置された座部フレームおよび前記座部フレームに回動自在に連設された背部フレームを有する頭部側フレームと、前記座部フレームを前記ベッド本体フレームの幅方向に移動する摺動手段と、を有し、
前記頭部側フレームは、頭部側本体フレームと、前記頭部側本体フレームに着脱自在であり、下方に車輪を有する台車に保持された移動用フレームと、を備えたスライド式ベッド。
【請求項２】
前記摺動手段は、床面に設置されたスライド用ガイドと、前記台車を搭載し、前記スライド用ガイドを摺動可能な摺動部材を有する支持台と、により構成される請求項１記載のスライド式ベッド。
【請求項３】
ベッド本体フレームと、前記ベッド本体フレームの長さ方向の一端側に設けられた足側フレームと、前記足側フレームの一端部に隣接して配置された座部フレームおよび前記座部フレームに回動自在に連設された背部フレームを有する頭部側フレームと、前記足側フレームを前記ベッド本体フレームの幅方向に移動する摺動手段と、を有し、
前記頭部側フレームは、頭部側本体フレームと、前記頭部側本体フレームに着脱自在であり、下方に車輪を有する台車に保持された移動用フレームと、を備えたスライド式ベッド。
【発明の詳細な説明】
【技術分野】
【０００１】
本発明は、病人や身障者、老人等に特に適し、家庭や病院、施設等で使用されるスライド式ベッドに関するものである。
【背景技術】
【０００２】
従来、病人や身障者、老人等（以下、「被介護人」と称す。）の寝起き動作等の容易化や、介護者の負担の軽減化のために、種々の機構を有したベッドが開発されている。本発明者は既に、構造が簡単で生産性や使用性に優れ、家庭等の任意の場所で使用でき利便性に優れたスライド式ベッドを開発し、特許文献１に開示している。
【０００３】
特許文献１に開示したスライド式ベッドを使用することにより、被介護人の寝起き動作や立ち上がり動作等の種々の日常動作時の負担の軽減化や安全性の向上を図るとともに、介護者の負担を軽減することを可能としている。
【０００４】
また、ベッドから車椅子への移動において特許文献１では、スライド式ベッドのスライド部をベッドの幅方向にスライドさせ、被介護人にベッドのフレームに着脱自在に配設されたサイドテーブルに手をついて立ち上がらせ、この間に、介護者がスライド部を元の位置に収納して車椅子を差し出すことにより、そのまま被介護人を車椅子に座らせることが可能となっている。
【０００５】
【特許文献１】特許第３７９６７０５号公報
【発明の開示】
【発明が解決しようとする課題】
【０００６】
上述したように、ベッドから車椅子への移動において、特許文献１では介護者が、被介護人の体の向きを変えることなく車椅子に座らせることができるので、従来のベッドに比べて介護者の負担を軽減することが可能である。しかしながら、立ち上がりが困難な被介護人の場合においては、従来通り、介護者が被介護人を抱きかかえたり、体の向きを変えたりする必要があるため、介護者の負担は大きい。
そこで本発明は、介護者の負担が小さく、立ち上がりが困難な病人や身障者、老人等の被介護人であっても容易に移動が可能なスライド式ベッドを提供することを目的とする。
【課題を解決するための手段】
【０００７】
本発明のスライド式ベッドは、ベッド本体フレームと、ベッド本体フレームの長さ方向の一端側に固定された足側フレームと、足側フレームの一端部に隣接して配置された座部フレームおよび座部フレームに回動自在に連設された背部フレームを有する頭部側フレームと、座部フレームをベッド本体フレームの幅方向に移動する摺動手段と、を有し、頭部側フレームは、頭部側本体フレームと、頭部側本体フレームに着脱自在であり、下方に車輪を有する台車に保持された移動用フレームと、を備えたことを特徴とする。
【０００８】
頭部側フレームをベッド本体の幅方向に摺動させて、移動用フレームをベッド本体フレームから突出した状態にする。そして、移動用フレームを頭部側本体フレームから分離すれば、移動用フレームおよび移動用フレームを保持する台車がスライド式ベッドから切り離されて、単独で移動可能となり、これが車椅子の役割を果たす。つまり、立ち上がりが困難な病人や身障者、老人等の被介護人であっても、介護人の補助により専用の車椅子に乗り換えることなく、移動用フレーム上に座った状態でいるだけでスライド式ベッドから離れて自由に移動することが可能となる。また、介護者は、被介護人を抱きかかえたり、体の向きを変えたりする必要はなく、被介護人を座らせた状態で頭部側フレームを摺動させ、移動用フレームを頭部側本体フレームから分離するだけでよく、介護者の負担を極限まで減らすことができる。
【０００９】
また、本発明のスライド式ベッドの摺動手段は、床面に設置されたスライド用ガイドと、台車を搭載し、スライド用ガイドを摺動可能な摺動部材を有する支持台と、により構成されることが望ましい。
【００１０】
上記構成により、構造が簡単で、操作も容易なスライド式ベッドとすることができる。
【００１１】
また、本発明のスライド式ベッドは、ベッド本体フレームと、ベッド本体フレームの長さ方向の一端側に設けられた足側フレームと、足側フレームの一端部に隣接して配置された座部フレームおよび座部フレームに回動自在に連設された背部フレームを有する頭部側フレームと、足側フレームをベッド本体フレームの幅方向に移動する摺動手段と、を有し、頭部側フレームは、頭部側本体フレームと、頭部側本体フレームに着脱自在であり、下方に車輪を有する台車に保持された移動用フレームと、を備えたことを特徴とする。
【００１２】
足側フレームを、ベッド本体フレームの幅方向、つまり、頭部側本体フレーム側に摺動させる。すると、移動用フレームの足側となる面が露出する。ここで、移動用フレームを頭部側本体フレームから分離すれば、移動用フレームおよび移動用フレームを保持する台車がスライド式ベッドから切り離され、前進することで単独で移動可能となり、これが車椅子の役割を果たす。つまり、立ち上がりが困難な病人や身障者、老人等の被介護人であっても、介護人の補助により専用の車椅子に乗り換えることなく、移動用フレーム上に座った状態でいるだけでスライド式ベッドから離れて自由に移動することが可能となる。また、介護者は、被介護人を抱きかかえたり、体の向きを変えたりする必要はなく、被介護人を座らせた状態で足側フレームを摺動させ、移動用フレームを頭部側本体フレームから分離するだけでよく、介護者の負担を極限まで減らすことができる。
【発明の効果】
【００１３】
本発明によれば、上記構成により、頭部側フレームをベッド本体の幅方向に摺動させて、移動用フレームをベッド本体フレームから突出した状態にし、または、足側フレームを頭部側本体フレーム側に摺動させて、移動用フレームの足側となる面を露出させた状態にし、移動用フレームを頭部側フレームから分離すれば、移動用フレームおよび移動用フレームを保持する台車がスライド式ベッドから切り離されて、単独で移動可能となり、これが車椅子の役割を果たすので、介護者の負担が小さく、立ち上がりが困難な病人や身障者、老人等の被介護人であっても容易に移動が可能なスライド式ベッドとすることができる。
【発明を実施するための最良の形態】
【００１４】
（実施の形態１）
以下、本発明の実施の形態１について図面を用いて詳細に説明する。図１は、本発明の実施の形態１におけるスライド式ベッドの斜視図である。
【００１５】
図１に示すように、本実施の形態１におけるスライド式ベッド１は、ベッド本体フレーム２と、ベッド本体フレーム２の長さ方向の一端側に固定された足側フレーム３と、足側フレーム３の一端部に隣接して配置された座部フレーム４および座部フレーム４に回動自在に連設された背部フレーム５を有する頭部側フレーム６とを有する。各フレーム上にはそれぞれマットレス２０が配設されており、ベッド本体フレーム２の外周縁に立設された保持具２０ａにより保持されている。
【００１６】
ベッド本体フレーム２には長手方向に沿ってそれぞれ、脚部２ａが４カ所に設けられている。脚部２ａの下端部には、ストッパー付きのキャスタ２ｂが設けられ、スライド式ベッド１が自由に移動可能となっている。また、ベッド本体フレーム２の長手方向の頭部側となる端部には柵２ｃが設けられ、足部側となる端部には金庫２ｄ付きの棚部２ｅが設けられている。
【００１７】
座部フレーム４と背部フレーム５とは、回動手段７によって連結されている。回動手段７は、座部フレーム４および背部フレーム５の間に所定間隔でベッド本体フレーム２の幅方向に複数本配設された横設材７ａと、座部フレーム４および横設材７ａならびに背部フレーム５をそれぞれ連結する係合手段７ｂとにより構成され、背部フレーム５を任意の傾斜角度でそれぞれ仮固定することが可能なリクライニング機構として機能する。回動手段７は、手動で動かすことができるが、電動シリンダや油圧シリンダよりなる駆動手段を設けることにより電動で動かすことも可能である。
【００１８】
頭部側フレーム６は、頭部側本体フレームと移動用フレームとにより構成され、連結部材８で着脱自在に連結されている。すなわち、座部フレーム４は、座部本体フレーム４ａと移動用フレーム４ｂとで構成され、背部フレーム５は、背部本体フレーム５ａと移動用フレーム５ｂとで構成されている。背部本体フレーム５ａと移動用フレーム５ｂとが、連結部材８で連結されることにより、座部本体フレーム４ａと移動用フレーム４ｂ、ならびに背部本体フレーム５ａと移動用フレーム５ｂとがそれぞれ一体化される。連結部材８は、座部フレーム４と背部フレーム５との連結部分を中心として回動可能に設けられており、移動用フレーム４ｂ，５ｂが車椅子として機能する際には肘掛けとしての役割も果たす（図５、参照。）。また、背部フレーム５の移動用フレーム５ｂには、平面視コ字状の把持部５ｃが設けられており、移動用フレーム４ｂ，５ｂを車椅子として機能させる際に介護者が容易に車椅子を動かすことができるようになっている。
【００１９】
座部フレーム４は、直方体の台車９に保持されている。台車９は、台車本体９ａと移動用台車９ｂとにより構成され、台車本体９ａと移動用台車９ｂとは係合手段（図示せず）により着脱自在に連結されている。移動用台車９ｂの下方の四隅には、キャスタ９ｃが設けられており、移動用台車９ｂが台車本体９ａから切り離されて、後述する車椅子３０（図５、参照。）として機能する際の車輪の役割を果たす。また、移動用台車９ｂには、取り外し自在の手すり部９ｄが設けられている。この手すり部９ｄは、スライド式ベッド１として使用する際には手すりとして機能し、移動用台車９ｂが車椅子３０として機能する際には肘掛けの役割を果たす。
【００２０】
台車９は、床面に設置されたスライド用ガイド１０を摺動可能な支持台１１に搭載されている。ここで、台車９および支持台１１ならびにスライド用ガイド１０の構成を詳細に説明する。図２は、台車９および支持台１１ならびにスライド用ガイド１０の構成を示す側面図である。
【００２１】
スライド用ガイド１０は、中央部が凸形状のガイド部材であり、スライド式ベッド１の幅方向に渡って２つ平行に設置されている。
支持台１１は、断面がほぼ台形をなしており、傾斜面１１ｂ，１１ｃはそれぞれ、移動用台車９ｂが車椅子３０として機能する際に、支持台１１からの昇降を容易とする緩やかな傾斜をなしている。支持台１１の下方には、スライド用ガイド１０の凸形状を挟み込むように形成された摺動部材１１ａが設けられている。この摺動部材１１ａがスライド用ガイド１０の凸形状に沿ってスライド式ベッド１の幅方向に摺動することで、支持台１１および台車９ならびに台車９に保持された座部フレーム４が、スライド式ベッド１の幅方向に移動することができる。
【００２２】
支持台１１の上面であって、移動用台車９ｂの下方となる位置には溝部１１ｄが形成されている。この溝部１１ｄは、移動用台車９ｂの下部に設けられたキャスタ９ｃが支持台１１上に搭載された際に、キャスタ９ｃが嵌り込むことによって移動用台車９ｂを支持台１１に固定する固定手段としての機能を有する。
【００２３】
足側フレーム３と座部フレーム４との間には、ローラとレール等で形成され座部フレーム４をベッド本体フレーム２の幅方向に移動させる補助摺動手段（図示せず）が設けられている。足側フレーム３と座部フレーム４の間となる位置であって移動側の側部には摺動防止具１２が設けられている。摺動防止具１２は、足側フレーム３側に配設されたスライド係止具１２ａと、一端部がスライド係止具１２ａに挿通され他端部が座部フレーム４の側部に係合自在に係合される係合具１２ｂと、係合具１２ｂの一端部に突設されたツマミ部１２ｃとにより構成されている。
【００２４】
足側フレーム３は、座部フレーム４がスライド式ベッド１の幅方向に突出する側の面に、着脱自在のテーブル板１３を備えている。テーブル板１３は、足側フレーム３に設けられたスライド用ガイド１３ａに沿って摺動可能であるとともに、スライド用ガイド１３ａとの連結部分を中心に約１８０度回動可能となっている。
【００２５】
次に、本実施の形態１におけるスライド式ベッド１の動作態様について説明する。図３は、本実施の形態１におけるスライド式ベッド１の動作態様を示す図である。図４は、本実施の形態１におけるスライド式ベッド１の補助輪の斜視図である。図５は、車椅子３０部分を分離した状態を示す図である。
【００２６】
スライド式ベッド１の座部フレーム４を、ベッド本体フレーム２の側方に移動させて使用する場合、まず、回動手段７を動かすことによって背部フレーム５を引き起こし、車椅子３０の背もたれとする。そして、摺動防止具１２のツマミ部１２ｃを持って係合具１２ｂを座部フレーム４から取り外す。次いで、座部フレーム４をベッド本体フレーム２の側部の移動方向Ｘに引き出す。すると、支持台１１の摺動部材１１ａがスライド用ガイド１０の凸形状に沿ってスライド式ベッド１の幅方向に摺動し、図３に示すように、支持台１１および台車９ならびに台車９に保持された頭部側フレーム６が、スライド式ベッド１の幅方向に移動する。このとき、足側フレーム３と座部フレーム４との間に設けられた補助摺動手段（図示せず）のローラやレール等が支持台１１の摺動を補助するので、頭部側フレーム６がガタつくのを防止でき、スムーズに移動させることができる。頭部側フレーム６が所定の位置まで引き出されると、摺動部材１１ａに設けられたストッパ（図示せず）によって、支持台１１の摺動が停止する。
【００２７】
次に、背部本体フレーム５ａと移動用フレーム５ｂとを連結する連結部材８を回動させて、背部本体フレーム５ａと移動用フレーム５ｂとの連結を解除し、図５に示すような車椅子３０の肘掛けとなる位置まで移動させる。これにより、図５に示すように、背部フレーム５の移動用フレーム５ｂが背部本体フレーム５ａから分離され、移動用台車９ｂおよび座部フレーム４の移動用フレーム４ｂならびに背部フレーム５の移動用フレーム５ｂによって車椅子３０が構成される。
【００２８】
移動用台車９ｂを前方（図５中矢印Ａ）に移動させ、キャスタ９ｃを支持台１１の溝部１１ｄから脱出させると、台車本体９ａと移動用台車９ｂの係合手段が外れて連結も解除され、移動用台車９ｂならびに移動用フレーム４ｂ，５ｂを車椅子３０として自由に移動させることが可能となる。介護者が車椅子３０の移動を補助する場合は、介護者が背部フレーム５の移動用フレーム５ｂに設けられた把持部５ｃを持って押し出すまたは手前側に引き出すことによって、移動用台車９ｂのキャスタ９ｃを支持台１１の溝部１１ｄから脱出させることができる。支持台１１の傾斜面１１ｂまたは１１ｃを利用して床面まで移動用台車９ｂを下ろすことにより、その後は通常の車椅子と同様に使用することができる。
【００２９】
本実施の形態１におけるスライド式ベッド１には、図４に示すような補助輪１４を使用することができる。ここで、補助輪１４ならびにその使用方法について説明する。
図４に示すように、補助輪１４は、使用者が把持する半円状のハンドル１４ａを、支軸１４ｂと支軸１４ｂの下端の両脇に設けられた車軸１４ｅに固定された車輪１４ｃで支える構造をなしており、支軸１４ｂの下端であって、車輪１４ｃの間となる位置には、移動用台車９ｂの下方に設けられた嵌合部（図示せず）に嵌め込まれる差込部１４ｄが設けられている。車輪１４ｃの車軸は、ハンドル１４ａ操作と連動するように構成されている。また、補助輪１４のハンドル１４ａには、スライド式ベッド１に設けられたテーブル板１３を載置できるようになっている。なお、補助輪１４は、それ単独で、歩行が可能な被介護人が使用する歩行補助器具として使用することもできる。
【００３０】
補助輪１４の差込部１４ｄを移動用台車９ｂの嵌合部に嵌め込んだ状態で使用すれば、補助輪１４を車椅子３０で移動する際のハンドルとして機能させることができる。また、補助輪１４の差込部１４ｄを移動用台車９ｂの嵌合部に嵌め込んだ状態で、テーブル板１３をスライド用ガイド１３ａに沿って手前にスライドさせながらテーブル板１３の下端部を上方に回動させ、テーブル板１３が補助輪１４と同じ位置まできたところでテーブル板１３を補助輪１４の上方からハンドル１４ａに下ろすことにより、食事や書き物をするための机代わりとして使用可能なテーブルとして機能させることができる。なお、テーブル板１３は、スライド式ベッド１のスライド用ガイド１３ａから脱着させてハンドル１４ａの上部に載置すれば、テーブル付きの車椅子３０として、移動時にもテーブル板１３を使用することができる。
【００３１】
本実施の形態１におけるスライド式ベッド１を元の位置に戻す場合には、まず、車椅子３０を支持台１１の傾斜面１１ｂ、１１ｃのどちらか一方から支持台１１上に上げる。そして、移動用台車９ｂのキャスタ９ｃが支持台１１の溝部１１ｄに落ち込むまで移動させることによって、車椅子３０を支持台１１上に固定する。キャスタ９ｃが溝部１１ｄに落ち込むことにより、台車本体９ａと移動用台車９ｂの係合手段が係合して連結される。そして、連結部材８を回動させて元の位置に戻すことにより、背部本体フレーム５ａと移動用フレーム５ｂとが連結され、頭部側本体フレームと移動用フレームとが一体となる。
【００３２】
そして、支持台１１の摺動部材１１ａをスライド用ガイド１０の凸形状に沿ってスライド式ベッド１の幅方向に摺動させることによって、頭部側フレーム６を移動方向Ｙに押し戻し、ベッド本体フレーム２内に収納させる。最後に、摺動防止具１２のツマミ部１２ｃを持って係合具１２ｂを座部フレーム４に係合させ、座部フレーム４と足側フレーム３とを連結する。これにより、座部フレーム４がベッド本体フレーム２に収納され、スライド式ベッド１を通常のベッドと同様に使用することができる。
【００３３】
以上、本実施の形態１におけるスライド式ベッド１の動作においては、すべての動作を手動で行うことも可能であるが、モータなどの駆動手段を設けることにより電動で行うことが可能である。この場合、駆動手段の取り付けは従来公知の方法を使用することができ、リモートコントローラなども使用することができる。また、車椅子３０の移動においても、移動用台車９ｂ内にモータなどの駆動手段を設け、この駆動手段に連動するアクセルやブレーキなどのペダルを取り付けることにより、被介護人が介護者の補助なしで自由に移動することも可能である。
【００３４】
以上、本実施の形態１について詳細に説明したが、本発明のスライド式ベッドは前記実施の形態に限定されるものではない。たとえば、頭部側フレーム６をベッド本体フレーム２の幅方向に摺動させる摺動手段として、床面に設置されたスライド用ガイド１０と支持台１１とを用いたが、これに限らず、支持台１１上に載置された台車９ならびに頭部側フレーム６をベッド本体フレーム２の幅方向に引き出すことが可能な手段であればどのようなものであってもよい。また、頭部側フレーム６をスライド式ベッド１の頭側から見て左方向へ移動するものとしてもよい。この場合、頭部側フレーム６の右側が座部本体フレーム４ａおよび背部本体フレーム５ａで構成され、左側が車椅子３０となる移動用フレーム４ｂ，５ｂで構成される。
【００３５】
（実施の形態２）
次に、本発明の実施の形態２について図面を用いて説明する。図６は、本発明の実施の形態２におけるスライド式ベッドの動作態様を示す図である。図７は、足側フレームをベッド本体フレームの幅方向に移動させる摺動手段を示す図であり、（ａ）は要部断面図、同図（ｂ）は要部側面図である。なお、本実施の形態２において、実施の形態１と同様の構成および同様の作用を有するものについては同符号を付して説明を省略する。また、後述する摺動防止具１２ならびにツマミ部１２ｃについては図６中に図示されないので図１を参照するものとする。
【００３６】
図６に示すように、本実施の形態２におけるスライド式ベッド４０は、足側フレーム３が、摺動手段４１によってベッド本体フレーム２の幅方向に移動する点で実施の形態１と異なるが、その他の点についてはほぼ同様の構成となっている。なお、本実施の形態２では、足側フレーム３が摺動するため、座部フレーム４のうち、移動用フレーム４ｂ側のみが台車４６に保持され、座部本体フレーム４ａはベッド本体フレーム２と一体となるように結合されている。
【００３７】
図７に示すように、足側フレーム３をベッド本体フレーム２の幅方向に摺動させる摺動手段４１は、足側フレーム３の座部フレーム４側の側部に形成されたローラ用フレーム４２と、ローラ用フレーム４２に形成されたローラ用レール４３と、ローラ用フレーム４２の下方に回転自在に軸着され座部本体フレーム４ａの下面に当接して支持する支持ローラ４４と、座部本体フレーム４ａの足側フレーム３側の側面の一端部に回転自在に軸支され、ローラ用レール４３に装着されたローラ４５とを備える。
【００３８】
足側フレーム３をベッド本体フレーム２の側部に移動してスライド式ベッド１を使用する場合、まず、回動手段７を動かすことによって背部フレーム５を引き起こし、車椅子の背もたれ部分とする。そして、摺動防止具１２のツマミ部１２ｃ（図１参照）を持って係合具１２ｂ（図１参照）を座部フレーム４から取り外す。次いで、足側フレーム３をベッド本体フレーム２の側部の移動方向Ｙに押すと、摺動手段４１のローラ４５及び支持ローラ４４がローラ用レール４３及び座部本体フレーム４ａの下面で回転して足側フレーム３がベッド本体フレーム２の側部へ移動する。足側フレーム３は、図６に示すように、移動方向Ｙに対して後面側となる側面が座部フレーム４の座部本体フレーム４ａの位置まで移動する。
【００３９】
足側フレーム３が前述の位置まで移動すると、座部フレーム４の移動用フレーム４ｂの足側となる面、つまり、台車４６、座部フレーム４の移動用フレーム４ｂならびに背部フレーム５の移動用フレーム５ｂによって構成される車椅子５０の前面となる側が解放状態となる。ここで、背部本体フレーム５ａと移動用フレーム５ｂとを連結する連結部材８を回動させて、背部本体フレーム５ａと移動用フレーム５ｂとの連結を解除し、台車４６のキャスタ４６ａのストッパーを解除すれば、車椅子５０がスライド式ベッド４０から切り離されて前方へと移動させることができる。スライド式ベッド４０を元の状態に戻す場合には、前述の動作と逆の手順を踏むとよい。
【００４０】
なお、本実施の形態２において足側フレーム３は、スライド式ベッド４０の頭側から見て左方向へ移動するものであったが、これに限らず、右方向へ移動するものであってもよい。この場合、頭部側フレーム６の右側が座部本体フレーム４ａおよび背部本体フレーム５ａで構成され、左側が車椅子５０となる移動用フレーム４ｂ，５ｂで構成される。
【産業上の利用可能性】
【００４１】
本発明は、家庭や病院、施設等で使用されるスライド式ベッドとして使用することができ、特に、介護者の負担が小さく、立ち上がりが困難な病人や身障者、老人等あっても容易に移動が可能なスライド式ベッドとして好適に用いることができる。
【図面の簡単な説明】
【００４２】
【図１】本発明の実施の形態１におけるスライド式ベッドの斜視図である。
【図２】台車および支持台ならびにスライド用ガイドの構成を示す側面図である。
【図３】本実施の形態１におけるスライド式ベッドの動作態様を示す図である。
【図４】本実施の形態１におけるスライド式ベッドの補助輪の斜視図である。
【図５】車椅子部分を分離した状態を示す図である。
【図６】本発明の実施の形態２におけるスライド式ベッドの動作態様を示す図である。
【図７】足側フレームをベッド本体フレームの幅方向に移動させる摺動手段を示す図であり、（ａ）は要部断面図、（ｂ）は要部側面図である。
【符号の説明】
【００４３】
１，４０  スライド式ベッド
２  ベッド本体フレーム
２ａ  脚部
２ｂ  キャスタ
２ｃ  柵
２ｄ  金庫
２ｅ  棚部
３  足側フレーム
４  座部フレーム
４ａ  座部本体フレーム
４ｂ  移動用フレーム
５  背部フレーム
５ａ  背部本体フレーム
５ｂ  移動用フレーム
５ｃ  把持部
６  頭部側フレーム
７  回動手段
７ａ  横設材
７ｂ  係合手段
８  連結部材
９  台車
９ａ  台車本体
９ｂ  移動用台車
９ｃ  キャスタ
９ｄ  手すり部
１０  スライド用ガイド
１１  支持台
１１ａ  摺動部材
１１ｂ，１１ｃ  傾斜面
１１ｄ  溝部
１２  摺動防止具
１２ａ  スライド係止具
１２ｂ  係合具
１２ｃ  ツマミ部
１３  テーブル板
１３ａ  スライド用ガイド
１４  補助輪
１４ａ  ハンドル
１４ｂ  支軸
１４ｃ  車輪
１４ｄ  差込部
１４ｅ  車軸
２０  マットレス
２０ａ  保持具
３０  車椅子
４１  摺動手段
４２  ローラ用フレーム
４３  ローラ用レール
４４  支持ローラ
４５  ローラ
４６  台車
４６ａ  キャスタ
５０  車椅子
【図１】
2008131961.tif 000003
【図２】
2008131961.tif 000004
【図３】
2008131961.tif 000005
【図４】
2008131961.tif 000006
【図５】
2008131961.tif 000007
【図６】
2008131961.tif 000008
【図７】
2008131961.tif 000009